【手続補正書】
【提出日】平成22年3月12日(2010.3.12)
【手続補正１】
【補正対象書類名】明細書
【補正対象項目名】発明の名称
【補正方法】変更
【補正の内容】
【発明の名称】２ホップ無線通信システム、中継装置、ソース装置、送信方法及びコンピュータプログラム
【手続補正２】
【補正対象書類名】特許請求の範囲
【補正対象項目名】全文
【補正方法】変更
【補正の内容】
【特許請求の範囲】
【請求項１】
ソース装置、宛先装置及び中継装置を有する２ホップ無線通信システムで使用する送信方法であって、前記ソース装置は、該ソース装置から前記宛先装置へ前記中継装置を介して至る通信パスを形成する２つのリンクに沿って情報を送信し、前記中継装置は、前記ソース装置から情報を受信し且つ前記宛先装置へ受信情報を送信し、前記２ホップ無線通信システムにおける個々の送信間隔の送信に時間周波数フォーマットが使用され、個々の送信間隔は複数の送信ゾーンを規定し、各送信ゾーンは、送信間隔中の異なる部分を占め且つ前記ソース装置又は前記中継装置が送信する際に指定可能であり、当該方法は、
特定の送信間隔における異なるゾーンを利用し、２つの連続する送信信号として情報をリンク毎に前記通信パスに沿って送信し、
第１ゾーンは、前記ソース装置から前記中継装置への送信に使用され、第２及び後続のゾーンは前記中継装置から前記宛先装置への送信に使用され、
前記第２ゾーンは、前記ソース装置から別の宛先装置へ又は別のソース装置から前記宛先装置への直接的な送信にも使用される、送信方法。
【請求項２】
前記時間周波数フォーマットを利用して、制御情報を前記中継装置へ送信するために前記ソース装置に制御ゾーンを割り当てる、請求項１記載の送信方法。
【請求項３】
前記制御ゾーンが、前記第１ゾーンで占められる前記送信間隔の一部に先行する送信間隔の一部を占める、請求項２記載の送信方法。
【請求項４】
前記送信間隔の前記第１及び第２ゾーンが、該送信間隔の別のゾーンと時間的に前後にある請求項２又は３に記載の送信方法。
【請求項５】
前記別の送信ゾーンに対応する前記送信間隔の一部の間に前記中継装置において、前記第１ゾーンにて受信した情報に基づいて、前記第２ゾーンにおける送信についての情報を構成する、請求項４記載の送信方法。
【請求項６】
前記通信パスが間接的な通信パスであり、前記２ホップ無線通信システムが少なくとも別の宛先装置を含み、前記ソース装置は、直接的な通信パスを形成する関連する１つのリンクに沿って前記別の宛先装置に直接的に情報を送信する、請求項４又は５に記載の送信方法。
【請求項７】
前記別の送信ゾーンを利用して、直接的な通信パスに沿って前記ソース装置から前記別の宛先装置へ情報を送信し、前記中継装置における処理中に情報が前記ソース装置から送信される、請求項６記載の送信方法。
【請求項８】
前記第１ゾーンを利用して、直接的な通信パスに沿って前記ソース装置から前記別の宛先装置へ情報を送信し、前記第１ゾーンに対応する特定の送信間隔の一部の間に、前記ソース装置から前記中継装置及び前記別の宛先装置双方に情報が送信される、請求項６又は７に記載の送信方法。
【請求項９】
前記第２ゾーンを利用して、直接的な通信パスに沿って前記ソース装置から前記別の宛先装置へ情報を送信し、前記第２ゾーンに対応する送信間隔の一部の間に、前記中継装置から前記宛先装置へ及び前記ソース装置から前記別の宛先装置へ情報が送信される、請求項６ないし８の何れか１項に記載の送信方法。
【請求項１０】
前記通信パスが間接的な通信パスであり、前記２ホップ無線通信システムが少なくとも別のソース装置を含み、前記ソース装置が、直接的な通信パスを形成する関連する１つのリンクに沿って前記宛先装置に直接的に情報を送信する、請求項４又は５に記載の送信方法。
【請求項１１】
前記別の送信ゾーンを利用して、直接的な通信パスに沿って前記ソース装置から前記宛先装置へ情報を送信し、前記中継装置における処理中に情報が前記別のソース装置から送信される、請求項１０記載の送信方法。
【請求項１２】
前記第１ゾーンを利用して、直接的な通信パスに沿って前記別のソース装置から前記宛先装置へ情報を送信し、前記第１ゾーンに対応する送信間隔の一部の間に、前記ソース装置から前記中継装置へ及び前記別のソース装置から前記別の宛先装置へ情報が送信される、請求項１０又は１１に記載の送信方法。
【請求項１３】
前記第２ゾーンを利用して、直接的な通信パスに沿って前記別のソース装置から前記宛先装置へ情報を送信し、前記第２ゾーンに対応する送信間隔の一部の間に、前記中継装置から前記宛先装置へ及び前記別のソース装置から前記宛先装置へ情報が送信される、請求項１０ないし１２の何れか１項に記載の送信方法。
【請求項１４】
前記送信間隔の１つ以上のゾーンにおいて空間分割多重アクセス法を利用する、請求項４ないし１３の何れか１項に記載の送信方法。
【請求項１５】
前記時間周波数フォーマットが、時分割二重通信システムのダウンリンク又はアップリンクサブフレームについてのフォーマットである、請求項１ないし１４の何れか１項に記載の送信方法。
【請求項１６】
前記２ホップ無線通信システムがOFDM又はOFDMAシステムであり、前記時間周波数フォーマットが、OFDM又はOFDMA時分割二重通信フレームのOFDM又はOFDMAダウンリンク又はアップリンクサブフレーム用のフォーマットである、請求項１ないし１５の何れか１項に記載の送信方法。
【請求項１７】
個々の送信間隔各々が、サブフレーム期間である、請求項１ないし１６の何れか１項に記載の送信方法。
【請求項１８】
前記ゾーンの各々がOFDM又はOFDMAフレーム構造におけるゾーンを構成する、請求項１ないし１７の何れか１項に記載の送信方法。
【請求項１９】
前記ソース装置が、基地局である、請求項１ないし１８の何れか１項に記載の送信方法。
【請求項２０】
前記ソース装置が、ユーザ端末である、請求項１ないし１８の何れか１項に記載の送信方法。
【請求項２１】
前記宛先装置が、基地局である、請求項１ないし１８の何れか１項に記載の送信方法。
【請求項２２】
前記宛先装置が、ユーザ端末である請求項１ないし１８の何れか１項に記載の送信方法。
【請求項２３】
前記中継装置が、中継局である、請求項１ないし１８の何れか１項に記載の送信方法。
【請求項２４】
ソース装置、宛先装置及び中継装置を有する２ホップ無線通信システムであって、前記ソース装置は、該ソース装置から前記宛先装置へ前記中継装置を介して至る通信パスを形成する２つのリンクに沿って情報を送信し、前記中継装置は、前記ソース装置から情報を受信し且つ前記宛先装置に受信信号を送信し、当該２ホップ無線通信システムは、
時間周波数フォーマットを利用し、該２ホップ無線通信システムにおける個々の送信間隔において送信を行うフォーマットアクセス手段であって、個々の送信間隔は複数の送信ゾーンを含み、各ゾーンは、送信間隔中の異なる部分を占め且つ送信に使用するため前記ソース装置又は中間装置に割り当て可能である、フォーマットアクセス手段と、
特定の送信間隔における異なる送信ゾーンを利用し、２つの連続する送信信号として情報をリンク毎に前記通信パスに沿って前記時間周波数フォーマットにより送信する送信手段と
を有し、第１ゾーンは、前記ソース装置から前記中継装置への送信に使用され、第２及び後続のゾーンは前記中継装置から前記宛先装置への送信に使用され、
前記第２ゾーンは、前記ソース装置から別の宛先装置へ又は別のソース装置から前記宛先装置への直接的な送信にも使用される、２ホップ無線通信システム。
【請求項２５】
ソース装置、宛先装置及び中継装置を有する２ホップ無線通信システムのコンピュータ装置で実行される一組のコンピュータプログラムであって、前記ソース装置は、該ソース装置から前記宛先装置へ前記中継装置を介して至る通信パスを形成する２つのリンクに沿って情報を送信し、前記中継装置は、前記ソース装置から情報を受信し且つ前記宛先装置に受信信号を送信し、時間周波数フォーマットを利用し、前記２ホップ無線通信システムにおいて個々の送信間隔の間に送信を行い、個々の送信間隔は複数の送信ゾーンを含み、各ゾーンは、送信間隔中の異なる部分を占め且つ送信に使用するため前記ソース装置又は中間装置に割り当て可能であり、当該コンピュータプログラムは、
特定の送信間隔における異なるゾーンを利用し、２つの連続する送信信号として情報をリンク毎に前記通信パスに沿って送信し、
第１ゾーンは、前記ソース装置から前記中継装置への送信に使用され、第２及び後続のゾーンは前記中継装置から前記宛先装置への送信に使用され、
前記第２ゾーンは、前記ソース装置から別の宛先装置へ又は別のソース装置から前記宛先装置への直接的な送信にも使用されるようにした送信方法を前記コンピュータ装置に実行させるコンピュータプログラム。
【請求項２６】
ソース装置及び宛先装置を有する２ホップ無線通信システムで使用する中継装置であって、前記ソース装置は、該ソース装置から前記宛先装置へ前記中継装置を介して至る通信パスを形成する２つのリンクに沿って情報を送信し、当該中継装置は、先行する装置から情報を受信し且つ前記通信パスに沿って後続の装置に受信信号を送信し、前記中継装置は、
時間周波数フォーマットを利用し、該２ホップ無線通信システムにおいて個々の送信間隔の間に送信を行うフォーマットアクセス手段であって、個々の送信間隔は複数の送信ゾーンを含み、各ゾーンは、送信間隔中の異なる部分を占め且つ送信に使用するため前記ソース装置又は中間装置に割り当て可能である、フォーマットアクセス手段と、
ある送信間隔に対する前記時間周波数フォーマットを利用して、該送信間隔の第１ゾーンにおける情報を受信し、該情報が前記送信間隔における２つのリンクに沿って伝送されるように、該送信間隔における第２の後続のゾーンにより前記情報を送信するトランシーバ手段と
を有し、第１ゾーンは、前記ソース装置から前記中継装置への送信に使用され、第２及び後続のゾーンは前記中継装置から前記宛先装置への送信に使用され、
前記第２ゾーンは、前記ソース装置から別の宛先装置へ又は別のソース装置から前記宛先装置への直接的な送信にも使用される、中継装置。
【請求項２７】
ソース装置及び宛先装置を有する２ホップ無線通信システムの中継装置で使用する送信方法であって、前記ソース装置は、該ソース装置から前記宛先装置へ前記中継装置を介して至る通信パスを形成する２つのリンクに沿って情報を送信し、前記中継装置は、前記ソース装置から情報を受信し且つ前記宛先装置に受信信号を送信し、前記中継装置は、前記２ホップ無線通信システムにおいて個々の送信間隔における送信に時間周波数フォーマットを利用し、個々の送信間隔は複数の送信ゾーンを含み、各送信ゾーンは、送信間隔中の異なる部分を占め且つ前記ソース装置又は前記中継装置が送信する際に指定可能であり、当該方法は、
ある送信間隔に対する前記時間周波数フォーマットを利用して、該送信間隔の第１ゾーンにおける情報を受信し、該情報が前記送信間隔における２つのリンクに沿って伝送されるように、該送信間隔における第２の後続のゾーンにより前記情報を送信し、
第１ゾーンは、前記ソース装置から前記中継装置への送信に使用され、第２及び後続のゾーンは前記中継装置から前記宛先装置への送信に使用され、
前記第２ゾーンは、前記ソース装置から別の宛先装置へ又は別のソース装置から前記宛先装置への直接的な送信にも使用される、送信方法。
【請求項２８】
ソース装置及び宛先装置を有する２ホップ無線通信システムの中継装置内のコンピュータ装置で実行されるコンピュータプログラムであって、前記ソース装置は、該ソース装置から前記宛先装置へ前記中継装置を介して至る通信パスを形成する２つのリンクに沿って情報を送信し、前記中継装置は、前記ソース装置から情報を受信し且つ前記宛先装置に受信信号を送信し、当該中継装置は、前記２ホップ無線通信システムの個々の送信間隔の間における送信に時間周波数フォーマットを利用し、個々の送信間隔は複数の送信ゾーンを含み、各送信ゾーンは、送信間隔中の異なる部分を占め且つ前記ソース装置又は前記中継装置が送信する際に指定可能であり、当該方法は、
ある送信間隔に対する前記時間周波数フォーマットを利用して、該送信間隔の第１ゾーンにおける情報を受信し、該情報が前記送信間隔における２つのリンクに沿って伝送されるように、該送信間隔における第２の後続のゾーンにより前記情報を送信し、
第１ゾーンは、前記ソース装置から前記中継装置への送信に使用され、第２及び後続のゾーンは前記中継装置から前記宛先装置への送信に使用され、
前記第２ゾーンは、前記ソース装置から別の宛先装置へ又は別のソース装置から前記宛先装置への直接的な送信にも使用される、ようにした送信方法を前記コンピュータ装置に実行させるコンピュータプログラム。
【請求項２９】
ソース装置、宛先装置及び中継装置を有する２ホップ無線通信システムで使用するソース装置であって、該ソース装置から前記宛先装置へ前記中継装置を介して至る通信パスを形成する２つのリンクに沿って情報を送信し、前記中継装置は、前記ソース装置から情報を受信し且つ前記宛先装置へ受信情報を送信し、前記２ホップ無線通信システムにおける個々の送信間隔の送信に時間周波数フォーマットが使用され、各送信間隔は複数の送信ゾーンを含み、各送信ゾーンは、送信間隔中の異なる部分を占め且つ前記ソース装置又は前記中継装置が送信する際に指定可能であり、当該ソース装置は、
２つの連続する送信信号の内の第１信号として情報を第１リンクにおいて送信し、該第１及びさらなる送信信号は特定の送信間隔の異なるゾーンを利用して送信される、送信手段と
を有し、第１ゾーンは、前記ソース装置から前記中継装置への送信に使用され、第２及び後続のゾーンは前記中継装置から前記宛先装置への送信に使用され、
前記第２ゾーンは、前記ソース装置から別の宛先装置へ前記送信手段が直接的に送信する際に使用される、ソース装置。
【請求項３０】
ソース装置、宛先装置及び中継装置を有する２ホップ無線通信システムのソース装置において使用する送信方法であって、
該ソース装置は、該ソース装置から前記宛先装置へ前記中継装置を介して至る通信パスを形成する２つのリンクに沿って情報を送信し、前記中継装置は、前記ソース装置から情報を受信し且つ前記宛先装置へ受信情報を送信し、
前記２ホップ無線通信システムにおける個々の送信間隔の送信に時間周波数フォーマットが使用され、各送信間隔は複数の送信ゾーンを含み、各送信ゾーンは、送信間隔中の異なる部分を占め且つ前記ソース装置又は前記中継装置が送信する際に指定可能であり、
２つの連続する送信信号の内の第１信号として情報を第１リンクにおいて送信し、該第１及びさらなる送信信号は特定の送信間隔の異なるゾーンを利用して送信され、
第１ゾーンは、前記ソース装置から前記中継装置への送信に使用され、第２及び後続のゾーンは前記中継装置から前記宛先装置への送信に使用され、
前記第２ゾーンは、前記ソース装置から別の宛先装置へ前記送信手段が直接的に送信する際に使用される、方法。
【請求項３１】
ソース装置、宛先装置及び中継装置を有する２ホップ無線通信システムのソース装置におけるコンピュータ装置に送信方法を実行させるコンピュータプログラムであって、
該ソース装置は、該ソース装置から前記宛先装置へ前記中継装置を介して至る通信パスを形成する２つのリンクに沿って情報を送信し、前記中継装置は、前記ソース装置から情報を受信し且つ前記宛先装置へ受信情報を送信し、
前記２ホップ無線通信システムにおける個々の送信間隔の送信に時間周波数フォーマットが使用され、各送信間隔は複数の送信ゾーンを含み、各送信ゾーンは、送信間隔中の異なる部分を占め且つ前記ソース装置又は前記中継装置が送信する際に指定可能であり、
２つの連続する送信信号の内の第１信号として情報を第１リンクにおいて送信し、該第１及びさらなる送信信号は特定の送信間隔の異なるゾーンを利用して送信され、
第１ゾーンは、前記ソース装置から前記中継装置への送信に使用され、第２及び後続のゾーンは前記中継装置から前記宛先装置への送信に使用され、
前記第２ゾーンは、前記ソース装置から別の宛先装置へ前記送信手段が直接的に送信する際に使用されるようにした方法を前記コンピュータ装置に実行させるコンピュータプログラム。
【手続補正３】
【補正対象書類名】明細書
【補正対象項目名】００２３
【補正方法】変更
【補正の内容】
【００２３】
開示される発明の一形態は、
ソース装置、宛先装置及び中継装置を有する２ホップ無線通信システムで使用する送信方法であって、前記ソース装置は、該ソース装置から前記宛先装置へ前記中継装置を介して至る通信パスを形成する２つのリンクに沿って情報を送信し、前記中継装置は、前記ソース装置から情報を受信し且つ前記宛先装置へ受信情報を送信し、前記２ホップ無線通信システムにおける個々の送信間隔の送信に時間周波数フォーマットが使用され、個々の送信間隔は複数の送信ゾーンを規定し、各送信ゾーンは、送信間隔中の異なる部分を占め且つ前記ソース装置又は前記中継装置が送信する際に指定可能であり、当該方法は、
特定の送信間隔における異なるゾーンを利用し、２つの連続する送信信号として情報をリンク毎に前記通信パスに沿って送信し、
第１ゾーンは、前記ソース装置から前記中継装置への送信に使用され、第２及び後続のゾーンは前記中継装置から前記宛先装置への送信に使用され、
前記第２ゾーンは、前記ソース装置から別の宛先装置へ又は別のソース装置から前記宛先装置への直接的な送信にも使用される、送信方法である。
【手続補正４】
【補正対象書類名】明細書
【補正対象項目名】００７９
【補正方法】変更
【補正の内容】
【００７９】
【図１】フレーム構造を示す図である。
【図２】各ゾーン内のノードアクティビティを示す図である。
【図３】１セル内でのゾーン利用例を示す図である。
【図４】シングルセル２ホップ無線通信システムを示す図である。
【図５ａ】中継局の例を示す図である。
【図５ｂ】中継局の例を示す図である。
【図６】IEEE802.16規格のOFDMA物理レイヤで使用されるシングルホップTDDフレーム構造を示す図である。
【手続補正５】
【補正対象書類名】図面
【補正対象項目名】全図
【補正方法】変更
【補正の内容】
【図１】
2008048421.tif 000001
【図２】
2008048421.tif 000002
【図３】
2008048421.tif 000003
【図４】
2008048421.tif 000004
【図５ａ】
2008048421.tif 000005
【図５ｂ】
2008048421.tif 000006
【図６】
2008048421.tif 000007